(57)【要約】【課題】細切れの動画撮影からユーザが意図する動画を自動的に作成する。【解決手段】  撮影機器は、撮影機器本体に設けられた撮像部によって撮影されている動画像の記録の中断及び再開を判定する中断・再開判定部と、上記中断前の第１の検査期間及び上記再開後の第２の検査期間のうちの少なくとも一方の検査期間に、上記撮影機器本体の状態の変化及び上記動画像の状態の変化のうちの少なくとも一方の変化によって上記動画像の不要部分を判定する不要部分判定部と、上記中断から再開までの中断期間の上記動画像及び上記不要部分と判定された上記動画像を除く上記動画像を１つの映像ファイルとして記録する記録制御部とを具備したことを特徴とする。【選択図】図１
2012039395.tif 000002
【特許請求の範囲】
【請求項１】
撮影機器本体に設けられた撮像部によって撮影されている動画像の記録の中断及び再開を判定する中断・再開判定部と、
上記中断前の第１の検査期間及び上記再開後の第２の検査期間のうちの少なくとも一方の検査期間に、上記撮影機器本体の状態の変化及び上記動画像の状態の変化のうちの少なくとも一方の変化によって上記動画像の不要部分を判定する不要部分判定部と、
上記中断から再開までの中断期間の上記動画像及び上記不要部分と判定された上記動画像を除く上記動画像を１つの映像ファイルとして記録する記録制御部と
を具備したことを特徴とする撮影機器。
【請求項２】
上記不要部分判定部は、上記動画像の記録の終了前の第３の検査期間に、上記撮影機器本体の状態の変化及び上記動画像の状態の変化のうちの少なくとも一方の変化によって上記動画像の不要部分を判定する
ことを特徴とする請求項１に記載の撮影機器。
【請求項３】
上記不要部分判定部は、上記撮影機器本体の傾きによって上記不要部分を判定する
ことを特徴とする請求項１又は２に記載の撮影機器。
【請求項４】
上記不要部分判定部は、上記撮影機器本体のぶれによって上記不要部分を判定する
ことを特徴とする請求項１又は２に記載の撮影機器。
【請求項５】
上記不要部分判定部は、上記動画像の輝度変化によって上記不要部分を判定する
ことを特徴とする請求項１又は２に記載の撮影機器。
【発明の詳細な説明】
【技術分野】
【０００１】
本発明は、動画像を撮像可能な撮影機器に関する。
【背景技術】
【０００２】
近年、デジタルカメラなどの撮影機能付き携帯機器（撮影機器）は、静止画のみならず、動画撮影機能を有するものが多い。このような撮影機器によって撮影される動画は、一般的に短い時間の、いわゆる細切れのものが多い。
【０００３】
そこで、特許文献１においては、所定時間内の動画を接続する技術が開示されている。
【先行技術文献】
【特許文献】
【０００４】
特開２００５−２７７６０９号公報
【発明の概要】
【発明が解決しようとする課題】
【０００５】
しかしながら、短い動画を次々に接続して変化のある動画を得ようとした場合、動画撮影開始、終了時のタイムラグ等により、ユーザが撮影を意図していない不要部分が多い動画が撮影されてしまうことがあるという問題があった。
【０００６】
本発明は、細切れの動画撮影からユーザが意図する動画を自動的に作成することができる撮影機器を提供することを目的とする。
【課題を解決するための手段】
【０００７】
本発明に係る撮影機器は、撮影機器本体に設けられた撮像部によって撮影されている動画像の記録の中断及び再開を判定する中断・再開判定部と、上記中断前の第１の検査期間及び上記再開後の第２の検査期間のうちの少なくとも一方の検査期間に、上記撮影機器本体の状態の変化及び上記動画像の状態の変化のうちの少なくとも一方の変化によって上記動画像の不要部分を判定する不要部分判定部と、上記中断から再開までの中断期間の上記動画像及び上記不要部分と判定された上記動画像を除く上記動画像を１つの映像ファイルとして記録する記録制御部とを具備したことを特徴とする。
【発明の効果】
【０００８】
本発明によれば、細切れの動画撮影からユーザが意図する動画を自動的に作成することができるという効果を有する。
【図面の簡単な説明】
【０００９】
【図１】本発明の第１の実施の形態に係る撮影機器の回路構成を示すブロック図。
【図２】図１中の撮影機器１０の外観及び撮影機器１０に取り付けられる交換レンズを示す説明図。
【図３】図２中の交換レンズ２０ｂ，２０ｃの回路構成を示すブロック図。
【図４】本実施の形態における動作を説明するためのタイミングチャート。
【図５】動作を説明するための説明図。
【図６】撮影中断時における撮像画像を示す説明図。
【図７】カメラ制御を示すフローチャート。
【図８】不要部分の判定方法を示す説明図。
【図９】動画撮影の中断・再開の判定方法を示す説明図。
【図１０】中断判定の閾値設定に関するユーザ操作を支援するメニュー表示を示す説明図。
【図１１】撮影機器本体２の傾きによって中断及び再開を行う場合を説明するための説明図。
【図１２】撮影機器本体２の傾きによって中断及び再開を行う場合を説明するための説明図。
【発明を実施するための形態】
【００１０】
以下、図面を参照して本発明の実施の形態について詳細に説明する。
【００１１】
（第１の実施の形態）
図１は本発明の第１の実施の形態に係る撮影機器の回路構成を示すブロック図である。図２は図１中の撮影機器１０の外観及び撮影機器１０に取り付けられる交換レンズを示す説明図である。また、図３は図２中の交換レンズ２０ｂ，２０ｃの回路構成を示すブロック図である。
【００１２】
図２において、撮影機器１は、撮影機器本体２の前面にレンズマウント部３を有して交換レンズ２０ａ，２０ｂ，２０ｃ（以下、代表して交換レンズ２０という）等を取り付け可能である。また、撮影機器本体２の上部には、撮影開始終了ボタン４が配設されている。
【００１３】
また、撮影機器本体２の上面には、図示しない取付部によってストロボ６が着脱自在に取り付けられるようになっている。
【００１４】
（回路構成）
撮影機器１の撮影機器本体２には本体回路部１０が内蔵されている。図１に示すように、本体回路部１０には、通信部１２，１３が設けられている。一方、装着される交換レンズ２０ａ〜２０ｃには交換レンズ回路部２１ａ〜２１ｃ（図３参照）（以下、代表して交換レンズ回路部２１という）が内蔵されている。交換レンズ回路部２１にも通信部２３が設けられている。本体回路部１０の通信部１２は、交換レンズ回路部２１の通信部２３との間で、相互に情報を送受することができるようになっている。
【００１５】
また、ストロボ６には、ストロボ回路部３０が内蔵されている。ストロボ回路部３０にも通信部３３が設けられている。本体回路部１０には、通信部１３も設けられており、本体回路部１０の通信部１３は、ストロボ回路部３０の通信部３３との間で、相互に情報を送受することができるようになっている。
【００１６】
交換レンズ２０ａは、望遠レンズ部２６ａを有している。望遠レンズ部２６ａは、駆動部２５に駆動されることで合焦を可能にするオートフォーカス機能を備えている。また、交換レンズ２０ｂはズームレンズによって構成されたズームレンズ部２６ｂを有している。ズームレンズ部２６ｂはズームリング２７の手動操作によってズームが行われる。また、レンズ部２６ｂにおいても、駆動部２５に駆動されることで合焦を可能にするオートフォーカス機能も備えている。また、交換レンズ２０ｃは、広角レンズ部２６ｃを有している。広角レンズ部２６ｃは、駆動部２５に駆動されることで合焦を可能にするオートフォーカス機能を備えている。
【００１７】
各交換レンズ２０ａ〜２０ｃのレンズ制御部２２は、本体回路部１０に制御されて、駆動部２５を制御して、望遠レンズ部２６ａ、ズームレンズ部２６ｂ又は広角レンズ部２６ｃ（以下、代表してレンズ部２６という）を駆動し、レンズ部２６における絞り、ピント、ズーム等を制御することができるようになっている。
【００１８】
レンズ制御部２２の通信部２３は、所定の伝送路を介して本体回路部１０の通信部１２との間で情報の送受を行う。レンズ制御部２２は、本体回路部１０の通信部１２との間の通信が確立すると、レンズに関する情報を通信部２３によって本体回路部１０に送信させることができる。これにより、本体回路部１０は、交換レンズ２０のズーム倍率、焦点距離、明るさナンバー等を認識することができる。なお、本実施の形態においては交換レンズ２０ａ〜２０ｃに限らず種々の交換レンズを採用することができる。
【００１９】
ストロボ回路部３０は発光部３６を有している。ストロボ制御部３２は、本体回路部１０に制御されて、駆動部３５を制御して、発光部３６を発光させるようになっている。
【００２０】
本体回路部１０は、ＣＣＤやＣＭＯＳセンサ等の撮像素子によって構成された撮像部１４を有している。交換レンズ２０からの被写体の光学像は、撮像部１４を構成する撮像素子の撮像面に結像するようになっている。この撮像部１４は、信号処理及び制御部１１によって駆動制御される。信号処理及び制御部１１は、撮像部１４に撮像素子の駆動信号を出力すると共に、撮像素子が光学像を光電変換して得た画像信号を取り込む。
【００２１】
信号処理及び制御部１１は、撮像素子の光電変換によって得られた画像信号に対して、所定の信号処理、例えば、色信号生成処理、マトリックス変換処理、その他各種のデジタル処理を行う。信号処理及び制御部１１は、画像信号及び音声信号等の記録に際して、符号化処理を施して圧縮した画像情報及び音声情報等を出力することもできるようになっている。
【００２２】
また、本体回路部１０には、時計部１７、操作判定部１８も配設されている。時計部１７は信号処理及び制御部１１が用いる時間情報を発生する。操作判定部１８は、撮影機器１に設けられた撮影開始終了ボタン４や撮影モード設定等の図示しない各種スイッチに対するユーザ操作に基づく操作信号を発生して、信号処理及び制御部１１に出力するようになっている。信号処理及び制御部１１は、操作信号に基づいて、各部を制御する。
【００２３】
本体回路部１０には、姿勢判定部１５も設けられている。姿勢判定部１５は、加速度センサ等によって構成することができ、撮影機器本体２の姿勢を検出する。例えば、姿勢判定部１５は、撮影機器本体２の傾きやぶれを検出して検出結果を信号処理及び制御部１１に与えるようになっている。
【００２４】
また、本体回路部１０には、記録再生部１６及び本体表示部１９が設けられている。記録再生部１６は、信号処理及び制御部１１からの画像情報及び音声情報を図示しない記録媒体に記録することができるようになっている。なお、記録再生部１６としては例えばカードインターフェースを採用することができ、記録再生部１６はメモリカード等に画像情報及び音声情報等を記録可能である。また、記録再生部１６は、記録媒体に記録された画像情報及び音声情報を読み出して信号処理及び制御部１１に供給することができる。信号処理及び制御部１１は、記録再生部１６からの画像情報及び音声情報を復号化して、画像信号及び音声信号を得ることができるようになっている。
【００２５】
本体表示部１９は、撮像部１４からの撮像画像や記録再生部１６からの再生画像が信号処理及び制御部１１から供給されて、これらの画像表示を行うことができる。また、本体表示部１９は信号処理及び制御部１１に制御されて、撮影機器１の操作を行うためのメニュー表示等を表示することもできるようになっている。
【００２６】
本実施の形態においては、信号処理及び制御部１１、記録再生部１６及び本体表示部１９は、撮像部１４からの撮像信号に基づく動画像についての処理が可能である。即ち、信号処理及び制御部１１は、撮像部１４からの撮像信号に所定の信号処理を施して動画像の映像信号を生成すると共に、この映像信号を本体表示部１９に与えて表示させる。また、信号処理及び制御部１１は、生成した映像信号を圧縮して記録再生部１６に与える。記録再生部１６は、信号処理及び制御部１１からの映像信号を図示しない記録媒体に記録すると共に、記録媒体に記録されている映像信号を読み出して信号処理及び制御部１１に出力することができる。信号処理及び制御部１１は記録再生部１６からの映像信号を復号化して、本体表示部１９に与えて表示させることができる。
【００２７】
本実施の形態においては、信号処理及び制御部１１は、生成した映像信号を記録再生部１６に与えて記録させる場合には、ユーザ操作に基づいて記録した映像信号のファイル化を行うようになっている。なお、ファイル化によって、記録再生部１６に記録されてファイル化された映像信号（以下、映像ファイルという）に対してユーザ操作に基づく各種処理、例えば再生処理が可能となる。
【００２８】
更に、本実施の形態においては、信号処理及び制御部１１は、映像信号を生成して記録再生部１６に与えて記録させる記録処理の中断及び再開を制御することができるようになっている。また、更に、信号処理及び制御部１１は、記録再生部１６を制御して、動画撮影が中断された場合において、中断前後の動画像を結合して１つの映像ファイルとして記録媒体に記録させることもできるようになっている。
【００２９】
本実施の形態においては、信号処理及び制御部１１は、記録処理の中断及び再開を中断・再開判定部１１ａによって検出するようになっている。例えば、中断・再開判定部１１ａは、交換レンズ２０が手等で覆われたことを検出して動画撮影の中断と判定し、交換レンズ２０を覆った手が交換レンズ２０から移動することによって動画撮影の再開と判定してもよい。また、例えば、中断・再開判定部１１ａは、撮影機器本体２の傾きを検出することで、動画撮影の中断・再開を判定してもよい。更に、中断・再開判定部１１ａは、撮影機器本体２に動画撮影の中断のためのスイッチが設けられている場合には、このスイッチの状態を検出することで、動画撮影の中断・再開を判定してもよい。
【００３０】
信号処理及び制御部１１は、動画撮影中断前後の動画像の結合処理において、不要部分を除去する不要部分除去部１１ｂを備えている。また、不要部分除去部１１ｂは、撮影終了時にも動画像の不要部分を除去するようにしてもよい。
【００３１】
例えば、不要部分除去部１１ｂは、中断操作の前の所定期間、再開操作の後の所定期間及び終了操作の前の所定期間に夫々検査期間を設定し、この検査期間内における動画像から不要部分を判定して除去する。なお、各検査期間は独立して設定可能である。
【００３２】
不要部分除去部１１ｂは、例えば、手ブレ、撮影機器本体２の傾き、輝度変化等を検出した場合に、不要部分と判定する。信号処理及び制御部１１は、不要部分除去部１１ｂによって不要部分が除去された動画像を結合して、１つの映像ファイルを生成するようになっている。
【００３３】
次に、このように構成された実施の形態の作用について図４乃至図８を参照して説明する。図４は本実施の形態における動作を説明するためのタイミングチャートであり、図５は動作を説明するための説明図である。図６は撮影中断時における撮像画像を示す説明図である。図７はカメラ制御を示すフローチャートである。また、図８は不要部分の判定方法を示す説明図であり、図９は動画撮影の中断・再開の判定方法を示す説明図である。
【００３４】
先ず、図４乃至図６を参照して本実施の形態における動画撮影の動作の概要を説明する。図４（ａ）は撮影開始終了ボタン４の操作を示し、図４（ｂ）はカメラぶれを示し、図４（ｃ）は画像の明るさを示し、図４（ｄ）は仮記録動画を示し、図４（ｅ）は本記録動画を示している。
【００３５】
ユーザは、撮影開始終了ボタン４を押して撮影を開始する。ユーザによる撮影開始終了ボタン４を押し込んで戻す操作を、図４（ａ）のハイレベル（以下、Ｈレベル）及びローレベル（以下、Ｌレベル）によって示している。操作判定部１８は、撮影開始終了ボタン４の操作を検出し、図４（ａ）の立ち上がりタイミングで、撮影の開始及び終了が指示されたものと判定する。信号処理及び制御部１１は、操作判定部１８からの信号に基づいて、撮影開始タイミングｔ０において撮像部１４からの映像信号を取り込んで信号処理し、記録再生部１６に与えて動画像の記録を開始する。
【００３６】
このようなユーザ操作に基づく記録（以下、仮記録という）による動画は図４（ｄ）に示す仮記録動画であり、図４（ｄ）ではＨレベル期間が記録期間であることを示している。また、図４（ｅ）に示す本記録動画についても、Ｈレベルによって記録期間を示している。
【００３７】
ここで、ユーザが撮影の中断を行うものとする。例えば、ユーザは撮影機器本体２の交換レンズ２０を手で覆う操作によって中断を指示する。図５（ａ）はこのような撮影の中断操作の直前の状態を示し、図５（ｂ），（ｃ）は中断操作の状態を示している。ユーザ４１は右手４２で撮影機器本体２を保持し、左手４３で交換レンズ２０を覆っている。図５（ａ）の状態における撮像画像が図６（ａ）に示すものであるものとすると、図５（ｂ）の中断操作時においては、例えば図６（ｂ）に示すように、左手４３で画面の全体の大部分が覆われて、画面の平均輝度が比較的低い撮像画像が得られる。
【００３８】
中断・再開判定部１１ａは、撮像部１４からの撮像信号の輝度に基づいて、ユーザによって中断操作があったか否かを判定する。図４（ｃ）におけるＬレベル部分は、交換レンズ２０を手で覆う操作によって画像が暗くなったことを示している。中断・再開判定部１１ａは、図４（ｃ）のＬレベル期間を中断期間と判定して、記録再生部１６における動画像（仮記録動画）の記録を中断させる。
【００３９】
中断・再開判定部１１ａによって判定された中断期間の開始タイミングがｔ１で終了タイミングがｔ２であるものとすると、記録再生部１６における仮記録動画には、このタイミングｔ１，ｔ２間における動画像部分は含まれない。
【００４０】
図５（ｃ）の状態は撮影の中断操作をしながら他の被写体の撮影準備をしている状態を示している。図５（ｄ）は左手４３を交換レンズ２０から離す操作、即ち、撮影の再開操作をしたことを示している。図６（ｃ）はこの場合において得られた撮像画像を示している。
【００４１】
次に、ユーザがタイミングｔ３において、撮影開始終了ボタン４を操作し、撮影の終了を指示するものとする。そうすると、信号処理及び制御部１１は仮記録動画の記録を終了する。即ち、仮記録は、ユーザの操作の検出タイミングで動画の記録、中断、再開及び終了を行うものである。
【００４２】
ところで、ユーザによる手でレンズを覆う中断操作に際して、撮影機器本体２は姿勢が比較的大きく変化し、所謂カメラぶれが生じる。このカメラぶれの期間における動画像は、極めて見にくく、一般的には、この部分は不要部分として除去したい部分である。なお、不要部分としては、カメラぶれ以外にも、撮影機器本体２が傾いた場合の画像、輝度変化が大きい場合の画像等が考えられる。
【００４３】
本実施の形態においては、このような不要部分を、不要部分除去部１１ｂにおいて検出して、仮記録動画から除去するようになっている。不要部分除去部１１ｂは、例えば、中断操作の前後の所定期間（検出期間）におけるカメラぶれを検出する。また、不要部分除去部１１ｂは、終了操作の前の所定の検出期間におけるカメラぶれを検出する。不要部分除去部１１ｂは、これらの検出期間においてカメラ等の不要部分と判定した動画部分を仮記録動画から削除して、図４（ｅ）に示す本記録動画を生成する。
【００４４】
なお、図４（ｂ）に示すように、記録開始操作直後においてもカメラぶれが生じている。しかし、記録操作の開始時における記録画像はユーザが撮りたい画像である可能性が高いので、不要部分除去部１１ｂは、この部分については不要部分と判定していない。
【００４５】
こうして、本実施の形態においては、ユーザの撮影操作に対して、例えば、カメラぶれが生じている部分を除去し、カメラぶれが比較的小さい動画像を本記録動画として記録することができる。
【００４６】
次に、図７乃至図９を参照して具体的なカメラ動作について説明する。
【００４７】
撮影機器１に電源が投入されると、信号処理及び制御部１１は、図７のステップＳ１において、撮影モードが指示されたか否かを判定する。撮影モードが指示されていない場合には、信号処理及び制御部１１は、再生モードが指示されたか否かの判定に移行する（図示省略）。なお、再生モードが指示された場合には、信号処理及び制御部１１は、撮影画像の再生を行う。
【００４８】
撮影モードが指示されると、信号処理及び制御部１１は、ステップＳ２において、撮像部１４からの撮像信号に基づいて、本体表示部１９に撮像画像（スルー画）を表示させる。次に、信号処理及び制御部１１は、撮影操作が行われたか否かを判断する（ステップＳ３）。
【００４９】
ユーザによって撮影開始終了ボタン４による撮影の開始操作が行われると（図４のタイミングｔ０）、信号処理及び制御部１１は、ステップＳ１１において、撮影を開始する。更に、本実施の形態においては、信号処理及び制御部１１は仮記録を開始し、不要部分除去部１１ｂは判定期間を求めるために計時を開始する。即ち、信号処理及び制御部１１は、撮像部１４からの撮像信号に所定の信号処理を施した後、符号化処理を行って画像情報を記録再生部１６から記録媒体に転送する。こうして、記録再生部１６に転送した画像情報の蓄積（仮記録）が開始される。
【００５０】
信号処理及び制御部１１は、中断・再開判定部１１ａによってユーザによる中断操作が発生したか否かを判定する（ステップＳ１２）。この中断判定は、ステップＳ１６において撮影終了と判定されるまで行われる。
【００５１】
ここで、ユーザが例えば図５（ｂ）のように手で交換レンズ２０を覆う中断操作を行うものとする。中断・再開判定部１１ａによって、画像の輝度等に基づいて中断操作があったものと判定されると、不要部分除去部１１ｂは、中断操作の時刻（以下、中断時刻という）（図４のタイミングｔ１）を記憶する（ステップＳ１３）。
【００５２】
次のステップＳ１４では、中断・再開判定部１１ａによってユーザによる再開操作が発生したか否かを判定する。ユーザが例えば図５（ｄ）のように交換レンズ２０から手を離す再開操作を行うと、この再開操作が中断・再開判定部１１ａによって検出される。そうすると、不要部分除去部１１ｂは、再開操作の時刻（以下、再開時刻という）（図４のタイミングｔ２）を記憶する（ステップＳ１５）。
【００５３】
なお、終了操作前に複数回の中断・再開操作があった場合には、不要部分除去部１１ｂは、その都度中断時刻及び再開時刻を記憶する。
【００５４】
撮影開始終了ボタン４の操作によって撮影の終了が指示されると、不要部分除去部１１ｂは、撮影の終了操作の時刻（以下、終了時刻という）（図４のタイミングｔ３）を記憶する。
【００５５】
次に、不要部分除去部１１ｂは、ステップＳ２１において、中断時刻の前に所定の検査期間を設定して、検査期間に手ブレ、傾き、輝度変化があるか否かを判定する。例えば、不要部分除去部１１ｂは、手で交換レンズを覆うことにより中断操作が検出された場合には、検査期間として例えば十分な時間の１秒間を設定する。また、不要部分除去部１１ｂは、撮影機器本体２を例えば下向きに傾斜させることによる中断操作が検出された場合には、検査期間として比較的短い時間の０．５秒間を設定する。
【００５６】
不要部分除去部１１ｂは、検査期間において比較的大きな手ブレ、傾き、輝度変化を検出した場合には、検出した部分を不要部分として、仮記録動画像から除去する（ステップＳ２２）。
【００５７】
同様に、不要部分除去部１１ｂは、ステップＳ２３において、再開時刻の後に所定の検査期間を設定して、検査期間に比較的大きな手ブレ、傾き、輝度変化があるか否かを判定する。不要部分除去部１１ｂは、この検査期間において比較的大きな手ブレ、傾き、輝度変化等を検出した場合には、検出した部分を不要部分として、仮記録動画像から除去する（ステップＳ２４）。
【００５８】
また、不要部分除去部１１ｂは、ステップＳ２５において、終了時刻の前に所定の検査期間を設定して、検査期間に比較的大きな手ブレ、傾き、輝度変化があるか否かを判定する。不要部分除去部１１ｂは、この検査期間において比較的大きな手ブレ、傾き、輝度変化等を検出した場合には、検出した部分を不要部分として、仮記録動画像から除去する（ステップＳ２６）。
【００５９】
不要部分除去部１１ｂによる不要部分の検出方法としては種々の方法が考えられる。図８は不要部分の検出方法の一例を示す説明図であり、手で交換レンズ２０を覆う操作を中断操作として判定する中断判定を行う場合に適した例を示している。
【００６０】
このような中断操作においては、上述したように、画像の輝度変化が比較的大きい。図８（ａ）は横軸に明度をとり縦軸に画素数をとって、このような手でレンズを覆う中断操作前の撮像画像の輝度を示すヒストグラムである。図８（ａ）は画像全体に暗い画素から明るい画素までが一様に分布している様子を示している。
【００６１】
これに対し、図８（ｃ）は、比較的暗い画素の数が極めて多く、明るい画素が少ない画像を示している。即ち、図８（ｃ）は手で交換レンズ２０を覆う中断操作時の撮像画像を示している。
【００６２】
図８（ｂ）は、手で撮像レンズを覆う中断操作の操作過程のヒストグラムの変化を示している。図８（ｂ）に示すように、手で交換レンズ２０を覆う中断操作の過程においては、画像中の暗い画素の数が次第に増加する。
【００６３】
このような画像の変化を、不要部分除去部１１ｂは、例えば画像の平均輝度の変化によって検出することができる。不要部分除去部１１ｂは、例えば、画像の平均輝度が所定の閾値以下に低下した場合にその画像を不要部分と判定する。
【００６４】
不要部分除去部１１ｂは、各画像の平均輝度を例えば各明度における画素数の積を総画素数で除算することにより求める。そして、不要部分除去部１１ｂは、中断判定された時点の平均輝度をＢAV1とし、例えば中断期間開始時点からその１秒前までの検査期間において、各画像の平均輝度ＢAV2が平均輝度ＢAV1の２倍となるまでの期間を不要部分と判定する。
【００６５】
逆に、不要部分除去部１１ｂは、中断期間の終了タイミングの１秒前の平均輝度をＢAV1としてこの終了タイミングから中断期間の終了タイミングまでの検査期間において、各画像の平均輝度ＢAV2が平均輝度ＢAV1の２倍となるまでの期間を不要部分と判定する。
【００６６】
このように、不要部分除去部１１ｂは、画像の輝度の変化に応じて、不要部分を判定することができる。
【００６７】
また、図９は不要部分の検出方法の他の例を示す説明図であり、撮影機器本体２を傾ける操作を中断操作として中断判定を行う場合に適した例を示している。
【００６８】
不要部分除去部１１ｂは、姿勢判定部１５の判定結果によって撮影機器本体２の傾きの情報を取得する。中断・再開判定部１１ａは、所定の閾値角度（以下、動画中断閾値という）以上撮影機器本体２が傾斜した場合に、中断操作が行われたものと判定して中断期間を設定し、所定の閾値角度（以下、動画再開閾値という）以下まで撮影機器本体２の傾斜が戻った場合に、中断操作が解除されたものと判定して中断期間を終了させる。中断・再開判定部１１ａは、動画中断閾値及び動画再開閾値として共通の値、例えば、４５°等を設定してもよい。
【００６９】
図９（ａ）は横軸に時間をとり縦軸に撮影機器本体２の傾斜角度をとって、このような中断操作時の撮影機器本体２の傾きの変化を示すグラフである。また、図９（ｂ）は中断期間を終了させるための操作時における撮影機器本体２の傾きの変化を示すグラフである。
【００７０】
不要部分除去部１１ｂは、図９（ａ）に示すように、撮影機器本体２の傾きが増加して動画中断閾値以上傾斜するタイミングからその０．５秒前までの検査期間において、所定の閾値角度（以下、第１の不要動画判定閾値）以上傾斜している期間の動画を不要部分と判定する。
【００７１】
また、不要部分除去部１１ｂは、図９（ｂ）に示すように、撮影機器本体２の傾きが減少して動画再開閾値以下になるタイミングからその０．５秒後までの検査期間において、所定の閾値角度（以下、第２の不要動画判定閾値）以上傾斜している期間の動画を不要部分と判定する。検査期間として設定する０．５秒は、ユーザの操作のばらつきを想定してそれ以上の値にしてもよい。
【００７２】
また、不要部分除去部１１ｂは、第１及び第２の不要動画判定閾値として共通の値、例えば１０°等を設定してもよい。
【００７３】
このような撮影機器本体２の状態変化は、撮影時のカメラの構え方やユーザーの癖などによって、差異がある場合がある。そこで、中断・再開判定部１１ａ及び不要部分除去部１１ｂは、ユーザーの好みで、中断判定及び不要部分除去の閾値を設定可能としてもよい。
【００７４】
図１０は中断判定の閾値設定に関するユーザ操作を支援するメニュー表示を示す説明図である。撮影時に操作判定部１８によりメニュー表示のための操作信号が信号処理及び制御部１１に与えられると、信号処理及び制御部１１は図１０（ａ）に示すメニュー表示を表示する。メニュー表示中には、「中断、再開」ボタンが表示されており、ユーザがこのボタンを選択することにより、信号処理及び制御部１１は動画の中断、再開のための閾値設定を行うモードに移行し、図１０（ｂ）の表示を表示する。
【００７５】
中断・再開閾値設定モードにおいては、図１０（ｂ）に示すように、傾き、レンズ、ピント、振動についてどのような条件（閾値）によって動画の中断、再開を行うかを指定するための表示が表示される。
【００７６】
図１１及び図１２は撮影機器本体２の傾きによって中断及び再開を行う場合を説明するための説明図である。
【００７７】
図１０（ｂ）の「傾き」ボタンを指定すると、図１１（ｂ）に示す表示が表示される。図１１（ｂ）では、「撮影時の傾きにして、設定ＳＷを操作してください」というメッセージ表示５１、スルー画表示５２、設定ボタン５３、機器傾き表示５４及び傾き角度表示５５が表示される。
【００７８】
いま、図１１（ａ）に示す被写体を撮影しながら設定を行うものとする。ユーザ６１が図１２（ａ）に示すように撮影機器本体２を水平に構えて被写体を撮影するものとする。図１１（ｂ）はこの状態を示しており、スルー画表示５２では撮影中の被写体の上体部分が表示され、機器傾き表示５４及び傾き角度表示５５によって撮影機器本体２が０°に構えられていることが示されている。ユーザ６１はこの状態で設定ボタン５３を選択すると、撮影機器本体２の傾きが０°の場合には、撮影が継続される設定となる。
【００７９】
ユーザ６１が図１１（ｂ）の設定ボタン５３を操作すると、メッセージ表示５１は、図１１（ｃ）に示すように、「撮影許容の傾きにして、設定ＳＷを操作してください」に変化する。例えば、ユーザ６１は、図１２（ｂ）に示すように、撮影機器本体２を傾斜させる。図１１（ｃ）ではこの場合におけるスルー画表示５２、撮影機器本体２の傾き及びその角度（２０°）が表示されている。
【００８０】
ユーザ６１が図１１（ｃ）の設定ボタン５３を操作すると、そのときの撮影機器本体２の傾き角度まで撮影が許容される設定となる。更に、メッセージ表示５１は、図１１（ｄ）に示すように、「撮影中断の傾きにして、設定ＳＷを操作してください」に変化する。例えば、ユーザ６１は、図１２（ｃ）に示すように、撮影機器本体２を傾斜させる。図１１（ｄ）ではこの場合におけるスルー画表示５２、撮影機器本体２の傾き及びその角度（８０°）が表示されている。
【００８１】
ここでユーザ６１が図１１（ｄ）の設定ボタン５３を操作すると、そのときの撮影機器本体２の傾き角度が撮影中断の閾値として登録される。即ち、図１１の例では、撮影機器本体２を８０°まで傾斜させると、撮影が中断されることになる。このように図１１の例では、撮影機器本体２を８０°以上傾斜させると動画撮影が中断され、傾斜を８０°よりも小さくすると、動画撮影が再開されることになる。
【００８２】
なお、傾き以外の中断判定方法においても、撮影時、撮影許容時、中断時について、閾値を設定することにより、中断条件を適宜設定可能である。
【００８３】
信号処理及び制御部１１は、不要部分が除去された仮記録動画像を本記録画像として記録再生部１６にファイル化させる（ステップＳ２７）。こうして、不要部分が除去された１つの映像ファイルが生成される。
【００８４】
このように本実施の形態においては、撮影開始終了ボタンによる撮影の開始と終了との間に中断操作及び再開操作があった場合でも、１つの映像ファイルとして記録することができる。この場合において、中断操作前の検査期間、再開操作後の検査期間及び終了操作前の検査期間において、手ブレ等の不要部分となる画像については自動的に仮記録動画から除去して本記録動画を得ており、ユーザが意図する動画像を煩雑な操作を必要とすることなく得ることができる。
【００８５】
また、上記実施の形態においては、中断・再開を画像の輝度の変化、撮影機器本体の傾きの変化によって判定し、不要部分を画像の輝度の変化、撮影機器本体の傾きやぶれの変化によって判定する例について説明したが、中断・再開の判定及び不要部分の判定方法としては種々の方法がある。
【００８６】
例えば、中断・再開及び不要部分の判定を、加速度、速度、角速度、光量、風量、温度、物体認識、ボタン入出力、音声等の外部変化を検出することで行ってもよい。
【符号の説明】
【００８７】
１０…本体回路部、１１…信号処理及び制御部、１１ａ…中断・再開判定部、１１ｂ…不要部分除去部、１４…撮像部、１５…姿勢判定部、１６…記録再生部、１８…操作判定部。
【図１】
2012039395.tif 000003
【図２】
2012039395.tif 000004
【図３】
2012039395.tif 000005
【図４】
2012039395.tif 000006
【図５】
2012039395.tif 000007
【図６】
2012039395.tif 000008
【図７】
2012039395.tif 000009
【図８】
2012039395.tif 000010
【図９】
2012039395.tif 000011
【図１０】
2012039395.tif 000012
【図１１】
2012039395.tif 000013
【図１２】
2012039395.tif 000014